(57)【特許請求の範囲】
【請求項１】
椅子本体が座枠、背枠及び座枠と背枠の間を補強するリブを具備してなるものであって、
リブを肘フレームとして使用可能なまでに迫り出させて、座枠、背枠及び当該肘フレームを三次元的に連なった状態にするとともに、
座枠及び背枠にそれぞれ着座面を形成するための別部材を嵌め込む開口を設け、
背座境界部の幅を背の有効支持部及び座枠よりも幅狭にし、
前記肘フレームの後端を背枠のうち前方に最も突出したランバー対応部より前側方に湾曲しながら持ち出し、前端を座枠から側方に迫り出した後に滑らかに方向を変えて立ち上げて、
肘フレーム、座枠及び背枠によって形成される開口の周縁が二次元平面内に収まらず三次元的に湾曲しているように、また、当該開口が側面から見えるだけでなく、正面からも平面からも底面からも見える状態とするように開口の周縁を形成しつつ、これら肘フレーム、座枠及び背枠を樹脂一体成形したことを特徴とする椅子。
【請求項２】
背枠のランバー対応部よりも上方に位置する有効支持部と座枠とが略同幅であり、背枠のランバー対応部よりも下方に位置する臀部対応部を下方に向けて徐々に括れさせたことを特徴とする請求項１に記載の椅子。
【請求項３】
背座境界部が縦断面前向きＵ字状をなし、この縦断面が臀部に沿って平面視緩やかに湾曲しながら連続する三次元形状をなしている請求項１又は２に記載の椅子。
【請求項４】
座の前端に前垂れ部を備えたものであって、この前垂れ部が縦断面逆Ｌ字状をなし、この縦断面が座の前縁に沿って緩やかに湾曲しながら連続する三次元形状をなしている請求項１〜３のいずれかに記載の椅子。
【請求項５】
肘フレームの上端に水平部が滑らかに折り曲げて連設してある請求項１〜４のいずれかに記載の椅子。
【請求項６】
肘フレームは、小口が座枠の小口と連続するように引き出してある請求項１〜５のいずれかに記載の椅子。
【請求項７】
肘フレームは、小口が背枠の小口と連続するように引き出してある請求項１〜６のいずれかに記載の椅子。
【請求項８】
別部材がメッシュ地を備えるものであり、開口はメッシュ地が荷重を受けて撓む方向に漸次開口幅を狭めながら湾曲する固定支持面を有している請求項１〜７のいずれかに記載の椅子。
【請求項９】
座枠の隅部が放射状をなす複数の座受フレームを介して脚支柱に回転可能に支持されている請求項１〜８のいずれかに記載の椅子。
【発明の詳細な説明】
【技術分野】
【０００１】
本発明は、オフィスや家庭等において好適に利用される椅子に関するものである。
【背景技術】
【０００２】
この種の椅子において背及び座を構成するにあたり、例えば特許文献１に示されるように、背座別体にシェルを成形して座シェルを座受けに支持させ、背シェルを背支桿に支持させるようにしたものや、特許文献２に示されるように、背座一体成形のシェルを備えたものが一般的な構造である。
【特許文献１】特開平８−１００８４号公報
【特許文献２】特開平１１−２６６９５７号公報
【発明の開示】
【発明が解決しようとする課題】
【０００３】
ところで、上記の椅子は何れも、背や座にクッション材を取り付ける構造であるが、このようなタイプとは別に、背や座に開口を設けてメッシュ地等の張地を張設することによりサポート感を良好にした椅子も考えられている。このような張地を採用する場合、撓みしろを確保するためにシェルに代えて内側に開口を有する背枠や座枠を用いてフレーム構造にする必要があるが、特許文献１のものを背枠や座枠構造にすると、互いに別体をなす背枠と座枠を連結部材で接合しなければならなくなり、接合部に集中的に負担が掛かって早期に外れ、使用に耐えないものとなる。一方、特許文献２のものは背座一体のものであるが、これも背枠や座枠にするとやはり背座境界部に負荷が集中し、遅速に割れを引き起こす原因となる。
【０００４】
本発明は、このような課題に着目してなされたものであって、補強のための構造をむやみに追加するのではなく、椅子全体を効率のよいフレーム構造にして所要の強度を確保し得るようにした椅子を新たに提供することを目的としている。
【課題を解決するための手段】
【０００５】
本発明は、かかる目的を達成するために、次のような手段を講じたものである。
【０００９】
すなわち、本発明の椅子は、椅子本体が座枠、背枠及び座枠と背枠の間を補強するリブを具備してなるものであって、リブを肘フレームとして使用可能なまでに迫り出させて、座枠、背枠及び当該肘フレームを三次元的に連なった状態にするとともに、座枠及び背枠にそれぞれ着座面を形成するための別部材を嵌め込む開口を設け、背座境界部の幅を背の有効支持部及び座枠よりも幅狭にし、前記肘フレームの後端を背枠のうち前方に最も突出したランバー対応部より前側方に湾曲しながら持ち出し、前端を座枠から側方に迫り出した後に滑らかに方向を変えて立ち上げて、肘フレーム、座枠及び背枠によって形成される開口の周縁が二次元平面内に収まらず三次元的に湾曲しているように、また、当該開口が側面から見えるだけでなく、正面からも平面からも底面からも見える状態とするように開口の周縁を形成しつつ、これら肘フレーム、座枠及び背枠を樹脂一体成形したことを特徴とする。
【００１０】
このようにすれば、背座及び肘フレームが一体となることで、椅子本体に掛かる負担を分散、軽減することができる。特に、背枠及び座枠にそれぞれ開口が形成されるということは、背座境界部に枠の一部が通っていることを意味するから、背座並びにリブとして機能する肘フレームを一体成形することや各開口に面を張ることとも相まって、所要の強度を確保し易いものとなる。また、背座境界部の幅を背の有効支持部及び座枠よりも幅狭にし、前記肘フレームの後端を背枠のうち前方に最も突出したランバー対応部より前側方に湾曲しながら持ち出し、前端を座枠から側方に迫り出した後に滑らかに方向を変えて立ち上げて、肘フレーム、座枠及び背枠によって形成される開口の周縁が二次元平面内に収まらず三次元的に湾曲しているように、また、当該開口が側面から見えるだけでなく、正面からも平面からも底面からも見える状態とするように開口の周縁を形成しているため、一体成形する際に特別な手段を用いなくても容易に母型より離型させることができ、効率よく簡単に製作を行うことができる。
【００１１】
さらに、本発明のより具体的な構成としては、背枠のランバー対応部よりも上方に位置する有効支持部と座枠とが略同幅であり、背枠のランバー対応部よりも下方に位置する臀部対応部を下方に向けて徐々に括れさせたものが挙げられる。
【００１２】
背座境界部における具体的な補強構造としては、当該背座境界部が縦断面前向きＵ字状をなし、この縦断面が臀部に沿って平面視緩やかに湾曲しながら連続する三次元形状をなしているものが挙げられる。
【００１３】
また、座における具体的な補強構造としては、座の前端に前垂れ部を備え、この前垂れ部が縦断面逆Ｌ字状をなし、この縦断面が座の前縁に沿って緩やかに湾曲しながら連続する三次元形状をなしているものが挙げられる。
【００１４】
さらに、肘フレームにおける具体的な補強構造としては、当該肘フレームの上端に水平部を滑らかに折り曲げて連設しているものが挙げられる。
【００１５】
肘フレームと座との間に集中的に応力が作用することを回避するためには、肘フレームの小口が座枠の小口と連続するように当該肘フレームが引き出される形態をなしているものが好ましい。
【００１６】
或いは、肘フレームと背との間に集中的に応力が作用することを回避するためには、肘フレームの小口が背枠の小口と連続するように当該肘フレームが引き出される形態をなしているものが好ましい。
【００１８】
別部材がメッシュ地を備える場合には、開口はメッシュ地が荷重を受けて撓む方向に漸次開口幅を狭めながら湾曲する固定支持面を形成しておくことが有効となる。
【００１９】
本発明の好適な実施の態様としては、座枠の隅部が放射状をなす複数の座受フレームを介して脚支柱に回転可能に支持されているものが挙げられる。
【発明の効果】
【００２０】
本発明は、以上説明した構成であるから、リブを兼ねる肘フレーム、座枠及び背枠が一体となって相互に補強し合い、椅子本体をフレーム構造にしても所要の強度を有効に発揮し得る優れた椅子を提供することが可能となる。
【発明を実施するための最良の形態】
【００２１】
以下、本発明の一実施形態を、図面を参照して説明する。
【００２２】
この実施形態の椅子は、図１〜図３に示すように、座１、背２及び肘掛け７からなる椅子本体Ａを、脚体Ｂより立ち上げた座受構造体４に支持させてなるものである。
【００２３】
具体的に説明すると、脚体Ｂは、等角位置から放射状に延び先端にキャスター５ａを備えた５本の脚羽根５の中心部に脚支柱３を回転可能に支持させてなるもので、脚支柱３は支柱本体３１の上端に拡径基部３２を有し、支柱本体３１から拡径基部３２に亘る内部に図４に示すようなガススプリング式の昇降機構６を組み込んでいる。拡径基部３２は、図４及び図５に示すように、カバー３２ａを取り除いた状態でお碗状の空洞３２ｂが開口し、底壁３２ｃには中心部付近から放射状に延びるリブ３２ｄが立設してあり、リブ３２ｄの上方には空洞３２ｂ内に手指を差し込める程度の内空が存在している。中心部には、突没動作によって昇降機構６をロック／ロック解除する作動部６１が収容され、この作動部６１を開閉させる位置に操作部たる操作レバー６２が拡径基部３２の一部に設けた切欠３２ｘを通して放射方向に引き出されるとともに、支軸ｍ回りに上下回動操作可能に枢着されている。前記カバー３２ａはこの操作レバー６２と干渉しない状態で作動部６１を含めて空洞３２ｂを蓋封している。操作レバー６２は引き上げることにより作動子６１を没入させて昇降機構６をフリーにし、引き上げ操作を解除することにより突出して昇降機構６をロックするものである。
【００２４】
そして、脚支柱３から上方に向けて、座受構造体４を構成する４本の座受フレーム４１を立ち上げ、それらの座受構造体４１の先端に座１を支持させている。座受フレーム４１は、水平部４１ａと鉛直部４１ｂを一体成形により連設したもので、水平部４１ａは基端が拡径基部３２の側面に接続され、そこから側方に引き出されて脚支柱３の中心部より漸次離れる方向に徐々に上方に湾曲しつつ持ち出されており、平面視すれば図６に示すように脚支柱３から放射方向に延びている。座１への上載荷重は中心よりも後方に掛かり、これに対応して脚支柱３が位置づけられている関係上、脚支柱３から座１の四隅に延びる座受フレーム４１のうち前２つの座受フレーム４１（ｘ）は後２つの座受フレーム４１（ｙ）よりも長く設定してある。鉛直部４１ｂは、図４に示すように水平部４１ａに滑らかに連設されて、先端で座１の縁部、具体的には図７に示すように四隅における下面１ａ、１ｂを支持している。この鉛直部４１ｂには、図８に示すように延出方向に沿って内部にねじ挿通部４１ｃが設けられ、このねじ挿通部４１ｃが水平部４１ａと鉛直部４１ｂの交叉部において下方に開口している。座受フレーム４１の横断面は、図２〜図４等に示すように、延出方向に沿った任意の位置で平均的な体格の大人がちょうど握り締められる程度の扁平な長円状をなしている。
【００２５】
このように座受フレーム４１が座１の四隅に向かって放射状に延びていることから、図７に示す座１の下方であって相隣接する座受フレーム４１、４１間に位置する部位、具体的には座１の前下方、左右の横下方及び後下方にそれぞれ位置する底面視略三角形状の領域Ａ１、Ａ２、Ａ３がフレーム等の存しない開放空間となる。そして、本実施形態はこれらを操作部を配置する機能調整空間とし（以下、上記領域と同じ符号Ａ１、Ａ２、Ａ３を用いる）、着座位置からみて右下方に位置する機能調整空間Ａ２に前記操作レバー６２を配置している。
【００２６】
一方、椅子本体Ａは、図１、図３及び図９等に示すように座１、背２及び肘掛け７からなり、背支桿を用いずに座受構造体４に支持されるもので、当該座１の下面には、前記各座受フレーム４１の対応位置に図７及び図８に示すようにナット部材をインサートしてなるねじ締着部１１が垂下させて設けてある。そして、座受フレーム４１の上端に座１を載せ置き、座受フレーム４１のねじ挿通部４１ｃに下方から挿通したねじＶ１を座１に設けたねじ締着部１１に締着することによって、座受フレーム４１に座１を取り付けている。
【００２７】
すなわち、この椅子は、座受構造体４を構成する各座受フレーム４１の先端部同士を座枠１２の各辺で略直線状に強固に連結する構造であり、座受フレーム４１と座枠１２によって立体的に閉じたフレーム構造をなしている。これによって、各座受フレーム４１と座枠１２を比較的細く形成しても、全体として強度を確保することができ、着座時の衝撃や体重によって各部が変形するようなこともない。
【００２８】
図１及び図９等に示すように、座１は座枠１２の内側の開口１２ａにメッシュ地１３を張設して構成され、背２は背枠２２の内側の開口２２ａにメッシュ地２３を張設して構成されたもので、座枠１２と背枠２２の間を補強する位置に設けた縦リブを肘フレーム７１として使用可能なまでに大きく迫り出させて肘掛け７とし、座枠１２、背枠２２及び当該肘フレーム７１を三次元的に連なった状態で樹脂一体成形している。
【００２９】
具体的には、図１及び図２に示すように、背枠２２のうち最も前方に突出しているランバー対応部２２ａよりも上方に反り返っている有効支持部２２ｂと座枠１２とが略同幅に設定してあり、背枠２２のランバー対応部２２ａよりも下方にいくにつれて奥まった部位に位置する臀部（でんぶ）対応部２２ｃを下方に向けて徐々に括れさせ、背座境界部Ｘの幅を背枠２２の有効支持部２２ｂ及び座枠１２よりも幅狭に設定している。そして、背枠２２から前側方に肘フレーム７１の後端７１ａを持出し、座枠１２から上側方に肘フレーム７１の前端７１ｂを持出して、これら肘フレーム７１、座枠１２及び背枠２２によって形成される開口７ａの周縁が二次元平面内に収まらず三次元的に湾曲しているように樹脂一体成形している。つまり、開口７ａは図３の側面から見えるだけでなく、図２の正面からも見え、図６の平面や図７の底面からも見える。背座境界部Ｘは図８に示すように縦断面前向きＵ字状をなし、この縦断面が臀部に沿って平面視前向き凹状となるように緩やかに湾曲しながら三次元形状をなすように連続している。また、座１の前端には前垂れ部１５が設けてある。この前垂れ部１５は図４に示す縦断面視において概略逆Ｌ字状をなすように座１に連設されたもので、その縦断面が座１の前縁に沿って図７に示すように底面視前向き突状となるように緩やかに湾曲しながら三次元形状をなすように連続している。
【００３０】
肘フレーム７１の後端７１ａは、図１及び図２に示すように小口が背枠２２の小口と連続するようにランバー対応部２２ａと略同じ高さ位置から引き出してあり、背２は平面視前向き凹状に湾曲していて、背枠２２の小口が前側方を向いていることから、肘フレーム７１の後端７１ａも背枠２２から前側方に引き出された後に緩やかに湾曲しながら前方に迫り出す形態をなしている。また、当該肘フレーム７１の前端７１ｂは、小口が座枠１２の小口と連続するように引き出してあり、座枠１２は正面視においてわずかに上向き凹状をなしていて小口が水平よりやや上側方を向いていることから、肘フレーム７１の前端７１ｂも座枠１２から水平よりやや上側方に引き出された後に緩やかに湾曲しながら上方に立ち上がる形態をなす。そして、背枠２２から迫り出した部分と座枠１２から立ち上がった部分が何れも肘フレーム７１の前後方向に水平に延びる上端へと連続している。これらの肘フレーム７１はリブとして見るときには座枠１２に対しても背枠２２に対しても縦リブとなる。そして、この肘フレーム７１の上端に、水平部７１ｃを滑らかに折り曲げて連設している。
【００３１】
この椅子本体Ａの成形時における母型の割り方向は、前後方向と上下方向の略中間となる４５度の方向（図３における矢印Ｚ参照）に設定されている。
【００３２】
そして、図１及び図９に示すように、座枠１２の内側及び背枠２２の内側にそれぞれ存する開口１２ａ、２２ａに、着座面を形成するための別部材であるメッシュ地１３、２３を枠材１４、２４を介して嵌め込んでいる。
【００３３】
背枠２２の開口縁には、図９及び図１０に示すように、前面に枠材取付面１２２ａを有し、背面に板状体が嵌る溝１２２ｂを有する枠材取付部１２２が設けてあり、この枠材取付部１２２の前面にメッシュ地２３を巻き込んだ取付枠１２０を嵌め込み、背面から背枠２２の枠材取付部１２２に挿通したねじＶ２を取付枠１２０に締着するとともに、そのねじＶ２を覆う位置に化粧枠１２１を嵌め込むようにしている。取付枠１２０には、メッシュ地２３が荷重を受けて撓む方向に漸次開口幅を狭めながら湾曲する固定支持面１２０ａが形成されている。
【００３４】
また、座枠１２の開口縁には、図９及び図１１に示すように、上面に枠材取付面１１２ａを有する枠材取付部１１２が設けてあり、この枠材取付部１１２の上面にメッシュ地１３を巻き込んだ取付枠１１０を嵌め込み、下面から座枠１２に挿通したねじＶ３を取付枠１１０に締着するようにしている。取付枠１１０には、メッシュ地１３が荷重を受けて撓む方向に漸次開口幅を狭めながら湾曲する固定支持面１１０ａを形成している。
【００３５】
本実施形態は、以上のようにして図１に示す椅子の体をなしているものであり、図４及び図８に示す座受フレーム４１の鉛直部４１ｂと座枠１２から垂下させたねじ締着部１１とを加えた寸法ｄが少なくとも脚支柱３の上端と座１との間に立体的な空間Ｓを形成し、座１は上載荷重を受けて図４に破線で示すように撓むことにより前記空間Ｓ内に沈み込むことができる。この空間Ｓは同時に、少なくとも人が着座していない状態で作業者が手指を差し込み必要に応じ工具等を使ってカバー３２ａの着脱を行うことのできる大きさをなし、座受構造体４がこのような座受フレーム４１からなるフレーム構造であることと相まって、前記空間Ｓに前後左右いずれの方向からでも手指をアクセスしてカバー３２ａを着脱し、内部の作動部６１等のメンテナンスを行うことができるものである。
【００３６】
また、この椅子は、座１の下方に位置する座受構造体４が、複数の座受フレーム４１を有しその中心部に作動部６１を配置したものであり、座１は座受フレーム４１の上に載置されてねじＶ１のみによって座受フレーム４１に固定されるだけであるため、必要であればねじＶ１を外して図８のように座受構造体４から座１を分離させ、更にカバー３２ａを外せば作動部６１を表出させてメンテナンスを行うこともできる。或いは、座１は図７に示すように４点で各座受フレーム４１にねじＶ１で固定されているため、１本のねじＶ１のみを残して他のねじＶ１を外せば、図４や図８に示すように各座受フレーム４１の先端は略同一高さ位置にあってこの座受構造体４に対して座１を水平旋回させることも可能であり、これによっても作動部６１を表出させることができる。この場合、座１は水平旋回した位置で座受構造体４の適宜の座受フレーム４１に水平に担持されるため、手で担持せずとも作動部６１等に対するメンテナンス作業を行うことが可能である。
【００３７】
このような椅子を視覚的な観点から見ると、座枠１２の内側に張設されたメッシュ地１３が半透明の領域を形成し、その下方にブロック状の座受やシェル等を備えておらず、座面には図１２に示すように座受構造体４を構成する座受フレーム４１や脚羽根５が基部から放射状に延びている状態がシルエット状に視認される。
【００３８】
このように、座枠１２の内側が半透明な領域であると、図７の機能調整空間Ａ１〜Ａ３に操作部を配置した場合にその略全容が図１２に示す上方から当該操作部の位置や数のみならず機能の概要とともに視認可能となる。この実施形態では、着座状態で右下方に位置する機能調整空間Ａ２に昇降機構の操作レバー６２を配置しているのみであるため、離着席時に操作レバー６２が１箇所だけであること、それが上述したように着座状態で右下方に位置していること、操作レバー６２が脚支柱３１の上端から放射状に延出していてガススプリング式の昇降機構６の操作を行うものであること等は容易に推認される。また、図７に示す他の機能調整空間Ａ１、Ａ３に操作部があれば図１２の上方からそれらも同時に視認できるため、操作部がいくつあるか、それがどの位置に存するか、どのような機能の操作部であるか、或いはその操作方法はどのようなものであるか等を、シルエットを通して容易に推認することが可能なものである。
【００３９】
以上のように本実施形態は、椅子本体Ａが座枠１２、背枠２２及び座枠１２と背枠２２の間を補強するリブを具備し、背支桿に支持されないものである。そして、リブを肘フレーム７１として使用可能なまでに迫り出させて、座枠１２、背枠２２及び当該肘フレーム７１を三次元的に連なった状態で一体成形するとともに、座枠１２及び背枠２２にそれぞれ着座面を形成するための別部材であるメッシュ地１３、２３を嵌め込む開口１２ａ、２２ａを設けたものである。さらには、背座境界部Ｘの幅を背２の有効支持部２２ｂ及び座枠１２よりも幅狭にし、肘フレーム７１の後端７１ａを背枠２２のうち前方に最も突出したランバー対応部２２ａより前側方に湾曲しながら持ち出し、前端７１ｂを座枠１２から側方に迫り出した後に滑らかに方向を変えて立ち上げて、肘フレーム７１、座枠１２及び背枠２２によって形成される開口７ａの周縁が二次元平面内に収まらず三次元的に湾曲しているように、また、当該開口７ａが側面から見えるだけでなく、正面からも平面からも底面からも見える状態とするように開口の周縁を形成しつつ、これら肘フレーム７１、座枠１２及び背枠２２を樹脂一体成形したものである。
【００４０】
すなわち、従来、背座別体や背座一体のみのフレーム構造は接合部に負担が掛かったり、一箇所に負荷が集中してしまい、接合部がはずれたり、割れ等を引き起こし易いものであった。これに対して、本実施形態によれば、座枠１２、背枠２２及び肘フレーム７１が一体となることで、椅子本体Ａに掛かる負担を分散、軽減することができる。特に、背枠２２及び座枠１２にそれぞれ開口１２ａ、２２ａが形成され、これらの開口１２ａ、２２ａの境界である背座境界部Ｘに枠の一部が通っていることから、各開口１２ａ、２２ａに別部材であるメッシュ地１３、２３によって面を張ることとも相まって、所要の強度を確保し易いものとなる。特に肘フレーム７１は、略全体が座面や背凭れ面に対して略垂直な縦リブとして機能するので、強度確保の機能より有効に働くこととなる。
【００４１】
さらには、肘フレーム７１、座枠１２及び背枠２２が三次元状につらなることで、応力をうまく分散させることができるので、樹脂の量を極力減らしつつ椅子の構造体としての強度を有効に確保することができる。また、肘フレーム７１、座枠１２及び背枠２２により形成される開口７ａを側面だけではなく、正面、平面、側面からも周縁が見える状態としており、座枠１２及び背枠２２に形成された開口１２ａ、２２ａとともに、前後方向と上下方向の略中間となる４５度の方向（図３における矢印Ｚ方向）に開いた状態とされているため、一体成形する際に特別な手段を用いなくても容易に母型より離型させることができ、効率よく簡単に製作を行うことができる。
【００４２】
具体的には、背枠２２のランバー対応部２２ａよりも上方に位置する有効支持部２２ｂと座枠１２とが略同幅であり、背枠２２のランバー対応部２２ａよりも下方に位置する臀部対応部２２ｃを下方に向けて徐々に括れさせることにより、三次元状に椅子本体Ａを構成して上記の効果が得られるようになっている。
【００４３】
また、背座境界部Ｘが縦断面前向きＵ字状をなし、この縦断面が臀部に沿って平面視緩やかに湾曲しながら連続する三次元形状をなしているので、特に応力の集中し易い背座境界部Ｘの強度を、着座者の体に沿った形態をとりながら有効に向上させることができる。すなわち、Ｕ字状にするとＵ字の先端開口が開きにくくなり、またそれが平面視湾曲していることから、Ｕ字を直線状に連ねる場合に比べて開き方向に指向性を存在させないようにし、より強度確保に有効なものとなっている。
【００４４】
さらに、座１の前端に前垂れ部１５を備え、この前垂れ部１５が縦断面逆Ｌ字状をなし、この縦断面が座１の前縁に沿って緩やかに湾曲しながら連続する三次元形状をなしているため、座１の前端に離着席時に大きな負荷が掛かっても、座１の前端に三次元形状の前垂れ部１５を設けることによって強度確保が図れる上に、着座時に膝の裏側からふくらはぎに亘る部位をバックアップしてより安定した着座状態を与えることができる。特に、前垂れ部１５１が平面視湾曲していることで、直線状のものに比べてＬ字のなす角が開きにくい頑強なものとなり得る。
【００４５】
肘フレーム７１については、座枠１２と背枠２２の間を連結してリブとして機能するものであるが、その連結方向と直交する方向に折り曲げられた水平部７１ｃが存在することで、それがないものに比べて撓りにくく、同時に肘の接地面積も確保することができる。
【００４６】
また、肘フレーム７１は、小口が座枠１２の小口と連続するように引き出してあり、座枠１２から側方に迫り出した後、滑らかに方向を変えて立ち上がる形態をなしているため、接続部分に集中的に応力が掛かることを回避して接続部分の外れや割れの発生を有効に防止することができ、同時に継目を存在させないことから滑らかな外観を得ることができる。また、迫り出した後に滑らかに方向を変えて立ち上がる形状とすることで、応力を集中させないようにしながら着座者が座面から多少はみ出して左右に動ける動作しろを作り、ゆとりのある着座姿勢をとらせることができる。
【００４７】
さらに、肘フレーム７１は、小口が背枠２２の小口と連続するように引き出してあり、背枠２２から前側方に緩やかに湾曲しながら迫り出す形態をなしているため、この接続部分においても集中的に応力が掛かることを回避して接続部分の外れや割れの発生を防止することができ、同時に継目を存在させないことから滑らかな外観を得ることができる。また、迫り出した後に滑らかに方向を変えて前側方に迫り出す形状とすることで、応力を集中させないようにしながら着座者が背凭れ面から多少はみ出して左右に動ける動作しろを作り、ゆとりのある着座姿勢をとらせることができる。
【００４８】
その肘フレーム７１の後端７１ａは、背凭れ支持面のうち前方に最も突出しているランバー対応部２２ａにおいて背枠２２に接続されており、ランバー対応部２２ａは背凭れ荷重が最も大きく掛かる部位であるため、この部位に肘フレーム７１の後端を接続することで強度向上を実効あらしめることができる。
【００４９】
特に、本実施形態の別部材はメッシュ地１３、２３を備えるものであり、開口１２ａ、２２ａはメッシュ地１３、２３が荷重を受けて撓む方向に漸次開口幅を狭めながら湾曲する固定支持面１１０ａ、１２０ａを有し、このような湾曲した支持面１１０ａ、１２０ａによってメッシュ地１３、２３を支持するものであるため、局所的に荷重が作用することを回避しつつ撓みに沿った確実な支持状態を得ることが可能になるとともに、支持面１１０ａ、１２０ａを固定とすることで、例えば可動支持面を備えるようなものに比べて座枠１２や背枠２２の補強としても有効に機能するものとなる。
【００５０】
さらにまた、座枠１２の隅部１ａ、１ａ、１ｂ、１ｂが放射状をなす複数の座受フレーム４１を介して脚支柱３に回転可能に支持されているため、座枠１２の変形を有効に防止することができ、しかも開口１３、２３に着座面を嵌め込むタイプの回転椅子として有効に成立させることが可能となる。
【００５１】
なお、各部の具体的な構成は、上述した実施形態のみに限定されるものではない。
【００５２】
例えば、上記実施形態では座枠１２、背枠２２及び肘フレーム７を樹脂一体成形したが、セパレートの座枠パーツ、背枠パーツ及びリブとして機能する肘フレームパーツを連結具等を用いて一体的に連結するようにしてもよい。このようにしても、座枠や背枠それ自体は周回状に閉じたパーツであり、背座境界部において座枠と背枠を連結することにより一定の強度が得られ、肘フレームがリブとしてこれら座枠と背枠の間を連結するほか、座枠や背枠の開口に面を張ることも相まって、接合部のはずれや成形の割れ等が生じることを有効に防止することができる。
【００５３】
また、一体成形を前提とし、かつ、リブを肘フレームとして使用可能なまでに迫り出させて座枠、背枠及び当該肘フレームを三次元的に連なった状態にする限りにおいては、図１３に示すように、座枠１１２から背枠１２２に亘る部位に単一の大きな開口１００を設け、この開口１００に着座面を形成するための別部材であるメッシュ地等（図示省略）を嵌め込むようにしてもよい。このようにしても、座枠１１２、背枠１２２及びこの間を連結する肘フレーム１７１が三次元的に補強し合い、開口１００に面が張られることも相まって、接合部のはずれや樹脂の割れ等を有効に回避することができる。また、この場合においても、肘フレーム１７１、座枠１１２及び背枠１２２により形成される開口（図２、図３における開口７ａに相当）を側面だけではなく、正面、平面、側面からも周縁が見える状態としており、座枠１１２及び背枠１２２に形成された開口１００とともに、前後方向と上下方向の略中間となる４５度の方向（図３における矢印Ｚ方向）に開いた状態とされているため、一体成形する際に特別な手段を用いなくても容易に母型より離型させることができ、効率よく簡単に製作を行うことができる。
【００５４】
その他の構成も、本発明の趣旨を逸脱しない範囲で種々変形が可能である。
【００５５】
例えば、メッシュ地に変えてアクリル等で透明ないし半透明の座面を構成しても、視覚的には上記と同様の効果が奏される。
【図面の簡単な説明】
【００５６】
【図１】本発明の一実施形態に係る椅子を示す斜視図。
【図２】同正面図。
【図３】同左側面図。
【図４】同縦断面図。
【図５】同実施形態の拡径基部の内部構造を示す斜視図。
【図６】同実施形態に係る椅子のメッシュ地を省略し脚支柱の上端カバーを外した状態の平面図。
【図７】同実施形態に係る椅子の底面図。
【図８】図４の分解図。
【図９】同実施形態に係る椅子本体の分解斜視図。
【図１０】背枠の開口にメッシュ地が嵌め込まれている状態を示す断面図。
【図１１】座枠の開口にメッシュ地が嵌め込まれている状態を示す断面図。
【図１２】同実施形態に係る椅子の平面図。
【図１３】本発明の変形例を示す図。
【符号の説明】
【００５７】
Ａ…椅子本体
Ｘ…背座境界部
７ａ…開口
１２…座枠
２２…背枠
７１…肘フレーム
１２ａ、２２ａ…開口
１３、２３…別部材（メッシュ）
１５…前垂れ部
２２ａ…ランバー対応部
２２ｃ…臀部対応部
７１ａ…後端
７１ｂ…前端
７１ｃ…水平部
【図１】
0005263802.tif 000002
【図２】
0005263802.tif 000003
【図３】
0005263802.tif 000004
【図４】
0005263802.tif 000005
【図５】
0005263802.tif 000006
【図６】
0005263802.tif 000007
【図７】
0005263802.tif 000008
【図８】
0005263802.tif 000009
【図９】
0005263802.tif 000010
【図１０】
0005263802.tif 000011
【図１１】
0005263802.tif 000012
【図１２】
0005263802.tif 000013
【図１３】
0005263802.tif 000014